(57)【特許請求の範囲】
【請求項１】
所定形状に加工されたリードフレーム本体の裏面に樹脂漏れ防止テープが貼着されたリードフレームにおいて、前記リードフレーム本体の端部にディテープの起点となる切欠き部を形成し、かつ前記リードフレーム本体の裏面で前記切欠き部の周囲に、前記樹脂漏れ防止テープと前記リードフレーム本体との接合強度を弱めた領域を設け、
前記接合強度を弱めた領域は、前記リードフレーム本体の裏面に形成されためっきによって構成されていることを特徴とするリードフレーム。
【請求項２】
所定形状に加工されたリードフレーム本体の裏面に樹脂漏れ防止テープが貼着されたリードフレームにおいて、前記リードフレーム本体の端部にディテープの起点となる切欠き部を形成し、かつ前記リードフレーム本体の裏面で前記切欠き部の周囲に、前記樹脂漏れ防止テープと前記リードフレーム本体との接合強度を弱めた領域を設け、
前記接合強度を弱めた領域は、前記リードフレーム本体の裏面に形成された凹状薄肉部によって構成されていることを特徴とするリードフレーム。
【請求項３】
請求項１又は２記載のリードフレームにおいて、前記接合強度を弱めた領域は、前記リードフレーム本体の前記切欠き部の切欠き端部から０．０５〜２ｍｍの隙間を有して形成されていることを特徴とするリードフレーム。
【請求項４】
請求項１〜３のいずれか１記載のリードフレームにおいて、前記接合強度を弱めた領域は、０．０５〜３ｍｍの幅を有することを特徴とするリードフレーム。
【請求項５】
端部にディテープの起点となる切欠き部が形成さたリードフレーム本体の裏面に樹脂漏れ防止テープが貼着されたリードフレームの製造方法において、前記樹脂漏れ防止テープを前記リードフレーム本体に加熱貼着するヒータプレートの前記切欠き部及び前記切欠き部の周囲に相当する部分に、前記樹脂漏れ防止テープと前記リードフレーム本体との接合強度を弱める凹部を設けたことを特徴とするリードフレームの製造方法。
【発明の詳細な説明】
【技術分野】
【０００１】
樹脂漏れ防止テープのディテープ（剥離）を容易かつ確実に行うことができるリードフレームとその製造方法に関する。
【背景技術】
【０００２】
ＱＦＮ（Quad  Flat No Lead Package）の製造においては、樹脂封止の際にパッドやリードの露出部に樹脂漏れが発生しないように、リードフレームに樹脂漏れ防止テープ（以下、単に「テープ」と称する場合もある）を貼り付けることが一般に行われている。即ち、リードフレームにチップ( 半導体素子) を搭載し、ワイヤボンディングを行って、ＭＡＰ(Molded Array Packaging)タイプであれば一括モールドした後、樹脂漏れ防止テープを剥がして（ディテープして）、ダイシングし個片化する。
【０００３】
ところが、ディテープの際に、樹脂漏れ防止テープが剥がれず、リードフレームが変形したり、テープが破れたりするという問題が発生することを防止するために、特許文献１に記載のように、リードフレームの端部に切欠き等を設け、そこを起点としてディテープする半導体装置の製造方法が提案されている。この方法においては、図５（Ａ）、（Ｂ）に示すように、切欠き７０の部分でテープ７１をクランプ７２で保持してディテープすることができると記載されている。なお、図５において、７３は半導体素子を、７４はリードフレーム本体（単に「リードフレーム」と称する場合もある）を、７５は封止樹脂、７６は半導体装置を示す。
【先行技術文献】
【特許文献】
【０００４】
【特許文献１】特許第４３１７６６５号公報
【発明の概要】
【発明が解決しようとする課題】
【０００５】
しかしながら、最近の傾向としては、リードフレームと封止樹脂との密着性の要求が高まっているため、表面を粗面化したリードフレームが増加している。また、露出部への樹脂漏れを防止するため、テープの貼付強度を上げることも行われている。そのため、特許文献１記載の半導体装置の製造方法を用いても、リードフレーム７４とテープ７１の貼付強度が強くなりすぎ、ディテープの際にテープ７１が剥がれずに、リードフレーム７４が変形したり、テープ７１が破れたりする。また、リードフレーム７４とテープ７１との接着強度が均一である場合は、リードフレーム７４の端部に大きな引き剥がし力がかかり、リードフレーム７４が変形したり、テープ７１が破れたりする問題が発生している。
【０００６】
本発明はかかる事情に鑑みてなされたもので、リードフレームに強固に接合されたテープを容易に剥がすことができるリードフレーム及びその製造方法を提供することを目的とする。
【課題を解決するための手段】
【０００７】
前記目的に沿う第１の発明に係るリードフレームは、所定形状に加工されたリードフレーム本体の裏面に樹脂漏れ防止テープが貼着されたリードフレームにおいて、前記リードフレーム本体の端部（切欠き端部）にディテープの起点となる切欠き部を形成し、かつ前記リードフレーム本体の裏面で前記切欠き部の周囲に、前記樹脂漏れ防止テープと前記リードフレームとの接合強度を弱めた領域を設け、前記接合強度を弱めた領域は、前記リードフレーム本体の裏面に形成されためっきによって構成されている。
【０００８】
【０００９】
第２の発明に係るリードフレームは、所定形状に加工されたリードフレーム本体の裏面に樹脂漏れ防止テープが貼着されたリードフレームにおいて、前記リードフレーム本体の端部（切欠き端部）にディテープの起点となる切欠き部を形成し、かつ前記リードフレーム本体の裏面で前記切欠き部の周囲に、前記樹脂漏れ防止テープと前記リードフレームとの接合強度を弱めた領域を設け、前記接合強度を弱めた領域は、前記リードフレーム本体の裏面に形成された凹状薄肉部によって構成されている。
【００１０】
第３の発明に係るリードフレームは、第１、第２の発明に係るリードフレームにおいて、前記接合強度を弱めた領域は、前記リードフレーム本体の前記切欠き部の切欠き端部から０．０５〜２ｍｍの隙間を有して形成されている。
【００１１】
第４の発明に係るリードフレームは、第１〜第３の発明に係るリードフレームにおいて、前記接合強度を弱めた領域は、０．０５〜３ｍｍの幅を有する。
【００１２】
そして、第５の発明に係るリードフレームの製造方法は、端部にディテープの起点となる切欠き部が形成さたリードフレーム本体の裏面に樹脂漏れ防止テープが貼着されたリードフレームの製造方法において、前記樹脂漏れ防止テープを前記リードフレーム本体に加熱貼着するヒータプレートの前記切欠き部及び前記切欠き部の周囲に相当する部分に、前記樹脂漏れ防止テープと前記リードフレーム本体との接合強度を弱める凹部を設けた。
【発明の効果】
【００１３】
第１〜第４の発明に係るリードフレーム、及び第５の発明に係るリードフレームの製造方法においては、リードフレーム本体の端部にディテープの起点となる切欠き部を形成し、かつリードフレーム本体の裏面で切欠き部の周囲に、樹脂漏れ防止テープとリードフレーム本体との接合強度を弱めた領域を設けたので、樹脂漏れ防止テープを剥離する場合のリードフレーム本体の変形及び樹脂漏れ防止テープの破れ等が極めて少なくなる。
【００１４】
特に、第１の発明に係るリードフレームは、接合強度を弱めた領域が、リードフレーム本体の裏面に形成されためっき（例えば、Ａｇ、Ｎｉ、Ｐｄ、Ａｕ等の平滑めっきが好ましい）によって構成されているので、樹脂漏れ防止テープの接合性がその部分だけ悪くなり、ディテープがより容易となる。
【００１５】
第２の発明に係るリードフレームは、接合強度を弱めた領域が、リードフレーム本体に形成された凹状薄肉部によって構成されているので、樹脂漏れ防止テープの接合性が悪くなり、剥離性が増す。
【００１６】
第３の発明に係るリードフレームは、接合強度を弱めた領域が、リードフレーム本体の切欠き端部から０．０５〜２ｍｍの隙間を有して形成されているので、めっきの場合はその周囲がめっき厚分だけ薄くなって、端部の剥離性が向上し、凹状薄肉部の場合は、その周囲に堰を作るので、凹状薄肉部において、樹脂漏れ防止テープがリードフレーム本体に接しにくく、ディテープがより確実となる。
【００１７】
第４の発明に係るリードフレームは、接合強度を弱めた領域が、０．０５〜３ｍｍの幅を有するので、線状に接合強度を弱めた領域が形成され、より均一に樹脂漏れ防止テープの剥離ができる。
【００１８】
そして、第５の発明に係るリードフレームの製造方法は、樹脂漏れ防止テープをリードフレーム本体に加熱貼着するヒータプレートの切欠き部及び切欠き部の周囲に相当する部分に、樹脂漏れ防止テープとリードフレーム本体との接合強度を弱める凹部を設けたので、その部分の樹脂漏れ防止テープの剥離性が増す。
【図面の簡単な説明】
【００１９】
【図１】（Ａ）は本発明の第１の実施の形態に係るリードフレームの平面図、（Ｂ）は同リードフレーム上に半導体素子を搭載し樹脂封止した後の半導体装置の平面図、（Ｃ）、（Ｄ）は同正面図である。
【図２】（Ａ）は本発明の第１の実施の形態に係るリードフレームの部分裏面図、（Ｂ）は図２（Ａ）の矢視Ｐ−Ｐ’断面図である。
【図３】（Ａ）は本発明の第２の実施の形態に係るリードフレームの部分裏面図、（Ｂ）は図３（Ａ）の矢視Ｑ−Ｑ’断面図である。
【図４】（Ａ）〜（Ｃ）は本発明の第３の実施の形態に係るリードフレームの製造方法の説明図である。
【図５】（Ａ）、（Ｂ）は従来例に係るリードフレームの説明図である。
【発明を実施するための形態】
【００２０】
続いて、添付した図面を参照しながら、本発明を具体化した実施の形態について説明する。図１（Ａ）に示すように、本発明の第１の実施の形態に係るリードフレーム１０は、多数の単位リードフレーム１１が格子状（縦横）に配置される長尺の所定形状に加工されたリードフレーム本体１２と、リードフレーム本体１２の裏面に貼着された樹脂漏れ防止テープ１３とを有する。なお、１４はパイロット孔を示す。
【００２１】
図１（Ａ）、図２（Ａ）、（Ｂ）に示すように、リードフレーム本体１２の長手方向端部には、それぞれ複数（この実施の形態では隙間を有して片側３つ）の矩形の切欠き部１５、１６が形成され、樹脂漏れ防止テープ１３は切欠き部１５、１６上も被るようにして、リードフレーム本体１２の裏面に貼着されている。この実施の形態においては、切欠き部１５、１６の周囲、即ち、リードフレーム本体１２の端部には、剥離起点部（ディテープの起点）１７があり、この部分の樹脂漏れ防止テープ１３を最初に剥がすことによって、順次樹脂漏れ防止テープ１３をリードフレーム本体１２の底面から剥ぐようにしている。樹脂漏れ防止テープ１３は片面に接着剤が塗布された通常の耐熱合成樹脂繊維等からなる。
【００２２】
リードフレーム本体１２の裏面の長手方向両端部（即ち、切欠き部１５、１６の周囲）には、樹脂漏れ防止テープ１３とリードフレーム本体１２との接合強度を弱めた領域１８が形成されている。この実施の形態においては、領域１８は例えば、Ａｇ、Ｎｉ、Ｐｄ又はＡｕ等による（平滑）めっき１９によって構成されている。このめっき１９はパルス電源によって形成する。リードフレーム本体１２は周知の方法で粗面化処理を行うこともできる。
【００２３】
なお、領域１８は切欠き部１５、１６の切欠き端部から０．０５〜２ｍｍの隙間２０を有している。リードフレーム本体の端部における接合強度が弱すぎると、ディテープの前の工程中に樹脂漏れ防止テープ１３がめくれて、引っ掛かり等の問題が発生する恐れがあるが、隙間２０を有しているので、接着強度が弱くなりすぎない。めっき１９の幅は０．０５〜３ｍｍ程度あれば十分であるが本発明はこの数字には限定されない。このめっき１９によって、その部分の樹脂漏れ防止テープ１３のリードフレーム本体１２に対する接合強度が他の部分より下がって、更に、めっき１９の厚みだけ樹脂漏れ防止テープ１３が浮き上がることになり、より剥離性が増す。なお、めっき１９の厚みは例えば、０．０５〜１０μｍ程度で十分であるが、本発明はこの数字には限定されない。
【００２４】
この後、単位リードフレーム１１の上に半導体素子を搭載して、ワイヤボンディングを行い樹脂封止して、図１（Ｂ）、（Ｄ）に示すように格子状に配置された多数の半導体装置２２をリードフレーム１０上に形成する。
次に、図１（Ｄ）に示すように、切欠き部１５、１６にクランプ（図５（Ｂ）参照）を入れて、樹脂漏れ防止テープ１３を直接挟持し、徐々に樹脂漏れ防止テープ１３を剥がす。樹脂漏れ防止テープ１３は剥離起点部１７の近傍にめっき１９がなされているので、容易に剥離し、リードフレーム１０に永久変形を与えない。
【００２５】
次に、図３（Ａ）、（Ｂ）を参照しながら、本発明の第２の実施の形態に係るリードフレーム２３について説明するが、第１の実施の形態に係るリードフレーム１０と同一の構成要素については同一の符号を付して詳しい説明を省略する。この実施の形態において、リードフレーム本体１２ａとの接合強度を弱めた領域１８ａには、凹状薄肉部２４が形成されている。この凹状薄肉部２４はプレス加工、エッチングによって形成され、その深さはリードフレーム本体１２ａの厚みの例えば、５０〜９０％程度としている。
【００２６】
凹状薄肉部２４と切欠き部１５、１６の切欠き端部との隙間２５の長さｓ２は０．０５〜２ｍｍ程度となっている。この隙間２５は、凹状薄肉部２４の周囲を樹脂漏れ防止テープ１３で塞ぎ、凹状薄肉部２４の部分が空間となるために必要であると共に、第１の実施の形態と同様、接着強度が弱くなりすぎることを防止する。また、リードフレーム本体の強度低下を抑制する。凹状薄肉部２４の幅ｗ２は０．０５〜３ｍｍで十分な空間が形成され、接合強度を弱めた領域１８ａが形成される。なお、樹脂漏れ防止テープ１３の剥離方法は第１の実施の形態に係るリードフレーム１０と同様である。
【００２７】
続いて、図４（Ａ）〜（Ｃ）を参照しながら、本発明の第３の実施の形態に係るリードフレーム２７の製造方法について説明する。このリードフレーム２７は、第１、第２の実施の形態に係るリードフレーム１０、２３と同様、端部に切欠き部１５、１６が形成され、この切欠き部１５、１６をオーバーラッピングするように樹脂漏れ防止テープ１３がリードフレーム本体１２ａの裏面を覆い、ヒータプレート２９、３０を用いて双方を加熱し、貼着している。
【００２８】
そして、樹脂漏れ防止テープ１３の両端部に接するヒータプレート２９（即ち、ヒータプレート２９の切欠き部１５、１６及びその周囲に相当する部分）には、樹脂漏れ防止テープ１３のリードフレーム本体１２ａへの接合強度を弱める凹部３２（又は幅方向に連通する溝）が設けられ、リードフレーム本体１２ａの両端部を押圧しないようにしている。凹部３２の深さｄ１は０．０１〜０．１ｍｍとなって、凹部３２の内側端部３４と樹脂封止ライン３３との距離ｓ１は、１ｍｍ以上となって、樹脂封止ライン３３においては確実に樹脂漏れ防止テープ１３とリードフレーム本体１２ａが接合するようになっている。なお、距離ｓ１が１ｍｍより小さいと、モールドラインに近すぎて、樹脂漏れの危険性がある。距離ｓ１の上限は特にないが、常識的には、１０ｍｍ以下程度が好ましい。
【００２９】
凹部３２の終端部３２ａの位置は、１）リードフレーム本体１２ａの端部より内側（例えば、０．０１〜２ｍｍ内側）、２）リードフレーム本体１２ａの端部と同じ、３）リードフレーム本体１２ａの端部より外側のいずれの場合も有り得る。
このリードフレーム２７において、最終的に樹脂漏れ防止テープ１３を剥ぐ工程は、第１、第２の実施の形態に係るリードフレーム１０、２３と同じである。
【００３０】
本発明は前記した実施の形態に限定されるものではなく、本発明の要旨を変更しない範囲でその構成を変更することもできる。例えば、本発明は具体的寸法を用いて説明したが、例示した寸法と異なる寸法であっても本発明は適用される。
【符号の説明】
【００３１】
１０、リードフレーム、１１：単位リードフレーム、１２、１２ａ：リードフレーム本体、１３：樹脂漏れ防止テープ、１４：パイロット孔、１５、１６：切欠き部、１７：剥離起点部、１８、１８ａ：接合強度を弱めた領域、１９：めっき、２０：隙間、２２：半導体装置、２３：リードフレーム、２４：凹状薄肉部、２５：隙間、２７：リードフレーム、２９、３０：ヒータプレート、３２：凹部、３２ａ：終端部、３３：樹脂封止ライン、３４：内側端部
【図１】
0006406787.tif 000002
【図２】
0006406787.tif 000003
【図３】
0006406787.tif 000004
【図４】
0006406787.tif 000005
【図５】
0006406787.tif 000006